(57)【要約】【課題】アンテナに与える手の影響を少なくし、手によるアンテナ特性の劣化を低減するとともに、携帯無線端末の小型化を図ることが可能な小型携帯無線端末用アンテナ装置を提供する。【解決手段】小型無線機１は表示部２と、キー部３とを備え、受話部６及び送話部７によって通話が可能となっており、筐体下部にコネクタ４及びコネクタカバー５が備えられている。コネクタ４は外部入出力等を行うが、コネクタ４を使用しない時には、汚れやコネクタ４の破損等を防止するためのコネクタカバー５で覆われている。コネクタカバー５はコネクタ４から外している時も紛失しないように、小型無線機１との間にコネクタ保持部８を設けている。コネクタカバー５にはアンテナ素子が内蔵され、このアンテナ素子はコネクタ保持部８を経由して給電部によって無線部に接続されている。【選択図】      図１
2004221911.tif 000002
【特許請求の範囲】
【請求項１】
少なくとも外部入出力を行うためのコネクタを含む携帯型の小型無線機の小型携帯無線端末用アンテナ装置であって、前記コネクタを覆うためのコネクタカバー内部に内蔵されるアンテナ素子を有することを特徴とする小型携帯無線端末用アンテナ装置。
【請求項２】
前記コネクタカバーが樹脂で成形され、前記コネクタカバーの内部に前記アンテナ素子を一体成形したことを特徴とする請求項１記載の小型携帯無線端末用アンテナ装置。
【請求項３】
前記アンテナ素子は、前記小型無線機内の無線部とケーブルにて接続したことを特徴とする請求項１または請求項２記載の小型携帯無線端末用アンテナ装置。
【請求項４】
前記アンテナ素子は、前記小型無線機内の無線部と接触式のコネクタにて接続したことを特徴とする請求項１または請求項２記載の小型携帯無線端末用アンテナ装置。
【請求項５】
前記アンテナ素子は、形状の変形に対して復元性のある形状記憶素子にて形成したことを特徴とする請求項１から請求項４のいずれか記載の小型携帯無線端末用アンテナ装置。
【請求項６】
前記アンテナ素子は、板状の導体及び線状の導体のいずれかで構成したことを特徴とする請求項１から請求項４のいずれか記載の小型携帯無線端末用アンテナ装置。
【請求項７】
前記アンテナ素子を内蔵するコネクタカバーは、前記小型無線機に対して回動自在に軸止され、前記回動にて開閉動作を行うことを特徴とする請求項１から請求項６のいずれか記載の小型携帯無線端末用アンテナ装置。
【請求項８】
前記アンテナ素子を内蔵したコネクタカバーは、前記小型無線機の前記コネクタ設置面に対して平行に移動して開閉動作を行うことを特徴とする請求項１から請求項６のいずれか記載の小型携帯無線端末用アンテナ装置。
【発明の詳細な説明】
【０００１】
【発明の属する技術分野】
本発明は小型携帯無線端末用アンテナ装置に関し、特に移動体通信の携帯無線端末に用いられるアンテナ装置に関する。
【０００２】
【従来の技術】
今日の移動体通信の普及、発展に伴い、急速に技術が進歩し、携帯無線端末の小型化、高機能化が進んでいる。携帯無線端末にはアンテナが不可欠であり、そのアンテナの小型化も求められている。
【０００３】
上記のアンテナとしては、携帯無線端末自体の小型化のために、アンテナ部分を端末筐体から切離して着脱自在としたもの（例えば、特許文献１参照）、プリント基板にソケット及びピンを設け、それらソケット及びピンに複数のアンテナのピン及びソケットを嵌合させることでアンテナの設置高さを低くするもの（例えば、特許文献２参照）等がある。
【０００４】
【特許文献１】
特開昭６２−２３２２０２号公報（第２頁左上欄５行〜左下欄５行、図１〜図５）
【特許文献２】
実開昭６３−１８５３０８号公報（第６頁２０行〜第８頁１２行、図１）
【０００５】
【発明が解決しようとする課題】
上述した従来のアンテナ装置では、一般に、携帯無線端末で通話する時、イヤホンマイク等を使用しない限り、手で持って使用することが多いが、アンテナは手の影響を大きく受けるため、小型化すると、アンテナを手で触れたり、覆ってしまったりして特性を劣化させる大きな要因となっている。
【０００６】
また、従来のアンテナ装置では、小型化のために携帯無線端末にアンテナを内蔵することも多くなっているが、その時にも手で持つと、内蔵されているアンテナに手が近づいてしまい、アンテナ特性を劣化させる大きな要因となっている。
【０００７】
そこで、本発明の目的は上記の問題点を解消し、アンテナに与える手の影響を少なくし、手によるアンテナ特性の劣化を低減することができるとともに、携帯無線端末の小型化を図ることができる小型携帯無線端末用アンテナ装置を提供することにある。
【０００８】
【課題を解決するための手段】
本発明による小型携帯無線端末用アンテナ装置は、少なくとも外部入出力を行うためのコネクタを含む携帯型の小型無線機の小型携帯無線端末用アンテナ装置であって、前記コネクタを覆うためのコネクタカバー内部に内蔵されるアンテナ素子を備えている。
【０００９】
すなわち、本発明の第１の小型携帯無線端末用アンテナ装置は、携帯可能な小型無線機において、外部入出力等を行うために設けられているコネクタを覆うためのコネクタカバーの内部にアンテナ素子を内蔵することを特徴としている。
【００１０】
本発明の第２の小型携帯無線端末用アンテナ装置は、上記のコネクタカバーを樹脂で成形し、その内部にアンテナ素子を一体成形していることを特徴としている。
【００１１】
本発明の第３の小型携帯無線端末用アンテナ装置は、上記の内蔵しているアンテナ素子を、小型無線機内の無線部に、ケーブルで接続していることを特徴としている。
【００１２】
本発明の第４の小型携帯無線端末用アンテナ装置は、上記の内蔵しているアンテナ素子を、小型無線機内の無線部に、接触式のコネクタで接続していることを特徴としている。
【００１３】
本発明の第５の小型携帯無線端末用アンテナ装置は、上記の内蔵しているアンテナ素子を、形状の変形に対して復元性のある形状記憶素子で形成していることを特徴としている。
【００１４】
本発明の第６の小型携帯無線端末用アンテナ装置は、上記の内蔵しているアンテナ素子を、板状もしくは線状の導体で構成していることを特徴としている。
【００１５】
本発明の第７の小型携帯無線端末用アンテナ装置は、上記のアンテナ素子を内蔵したコネクタカバーを、小型無線機から回転して開けられるようにしていることを特徴としている。
【００１６】
本発明の第８の小型携帯無線端末用アンテナ装置は、上記のアンテナ素子を内蔵したコネクタカバーを、小型無線機からスライドして開けられるようにしていることを特徴としている。
【００１７】
これによって、本発明の小型携帯無線端末用アンテナ装置では、上記のような手等の影響によるアンテナの劣化を少なくすることが可能となり、より安定した通話特性を維持することが可能となる。また、本発明の小型携帯無線端末用アンテナ装置では、筐体内のスペースを使用しないので装置のさらなる小型化が可能となる。
【００１８】
【発明の実施の形態】
次に、本発明の実施例について図面を参照して説明する。図１は本発明の第１の実施例による小型無線機の斜視図である。図１において、小型無線機１は表示部２と、キー部３とを備え、受話部６及び送話部７によって通話が可能となっており、筐体下部にコネクタ４及びコネクタカバー５が備えられている。
【００１９】
コネクタ４は外部入出力等を行うが、コネクタ４を使用しない時には、汚れやコネクタ４の破損等を防止するためのコネクタカバー５で覆われている。コネクタカバー５はコネクタ４から外している時も紛失しないように、小型無線機１との間にコネクタ保持部８を設けている。
【００２０】
図２は図１のコネクタカバー５の部分の拡大図である。図２において、コネクタカバー５にはアンテナ素子９が内蔵され、このアンテナ素子９はコネクタ保持部８を経由して給電部１０によって無線部１１に接続されている。
【００２１】
このコネクタ保持部８はコネクタカバー５をコネクタ４から取り外すことによって稼働するように構成されており、給電部１０もコネクタ保持部８に合わせて稼働するようになっている。
【００２２】
コネクタカバー５は一般的にプラスチック等の樹脂であることが多いが、本実施例のように、コネクタカバー５をアンテナ素子９として構成する場合には、アンテナ素子９そのものをコネクタカバー５とすることも可能である。
【００２３】
本実施例ではコネクタカバー５にアンテナ素子９を内蔵することによって、小型無線機１のアンテナとして動作させる。コネクタカバー５はコネクタ４を保護するために、コネクタ４に取り付けられている場合、及び外部入出力を行うために取り外されている場合の両方においてアンテナとして動作する。
【００２４】
そのため、コネクタカバー５に内蔵されたアンテナ素子９はコネクタ４からコネクタカバー５が取り外されている場合も、アンテナとして動作するようにコネクタ保持部８が小型無線機１から外れないようになっている。
【００２５】
図３は従来の小型無線機において手で持った時の状態を示す図であり、図４は本発明による小型無線機において手で持った時の状態を示す図である。これら図３及び図４を参照して本実施例における効果について説明する。
【００２６】
一般的に、小型無線機１を使用する場合、手で持って使用することが多いが、コネクタカバー５にアンテナ素子９を内蔵することによって、小型無線機１を手で持った時、図３に示すように、従来の小型無線機において、内蔵されているアンテナが筐体下部に内蔵されている場合には、手で筐体内のアンテナ部分を覆ってしまうことによって、アンテナ特性を劣化させてしまう可能性が高い。
【００２７】
これに対し、本実施例では、図４に示すように、筐体下部に設けられたコネクタカバー５にアンテナ素子９を内蔵させることによって、アンテナ素子９に与える手の影響を少なくすることができ、手によるアンテナ特性の劣化を低減することがができ、より安定した通話特性を維持することが可能となる。
【００２８】
また、本実施例では、小型無線機１の内部にアンテナを設置する場合に比べて、小型無線機１の内部のスペースをアンテナとして使用しないため、小型無線機１のさらなる小型化にも効果がある。
【００２９】
図５は本発明の第２の実施例による小型無線機のコネクタカバーの部分の拡大図である。図５において、本発明の第２の実施例ではコネクタカバー５に内蔵されたアンテナ素子９と、無線部１１に接続する給電部１０とをケーブル１２で接続して構成している。
【００３０】
本実施例では、アンテナ素子９と給電部１０とをケーブル１２で接続しているので、コネクタカバー５の動きに対し、ケーブル１２で柔軟に対応することが可能となる。
【００３１】
図６は本発明の第３の実施例による小型無線機のコネクタカバーの部分の拡大図である。図６において、本発明の第３の実施例ではコネクタカバー５に内蔵されたアンテナ素子９と無線部１１とをコネクタ１３で接続している。
【００３２】
コネクタ１３の接点をコネクタカバー５が稼働する時のコネクタ保持部８の一部とし、コネクタ保持部８の稼働に伴ってコネクタ１３の接点が稼働するように構成することによって、コネクタ保持部８の稼働における電気的な信頼性を高めることが可能となる。
【００３３】
本実施例では、コネクタカバー５を着脱する時に、コネクタ保持部８が回転するように構成されている場合、このコネクタ１３の接点を回転の軸として利用することもできる。この場合の回転する方向は、図７に示すように、小型無線機１の下部下向きに開くように、つまり矢印４２の方向に回動するように構成することもできる。
【００３４】
また、本実施例では、図８に示すように、コネクタカバー５を着脱する時に、コネクタカバー５が矢印４２の方向にスライドするように構成されている場合、アンテナ素子９にコネクタ１３を直接接触させ、スライドする接点として利用することもできる。
【００３５】
図９は本発明の第４の実施例による小型無線機のコネクタカバーの部分の拡大図である。図９において、本発明の第４の実施例ではコネクタカバー５に内蔵されたアンテナ素子９を復元性のある形状記憶合金としている。
【００３６】
これによって、本実施例では、アンテナ素子９の一部を延長して小型無線機１の内部まで伸ばし、アンテナ素子９と無線部１１とを直接接続することで、コネクタカバー５の着脱に対して復元性を持たせることが可能となる。この時、延長したアンテナ素子９はコネクタ保持部８の内部を通って小型無線機１の内部に入ってくるように構成されている。
【００３７】
図１０は本発明の第５の実施例によるアンテナ素子の形状を示す図である。図１０において、本実施例ではアンテナカバー５に内蔵するアンテナ素子９をミアンダ状とすることによって、より低い周波数にも対応することが可能となる。
【００３８】
図１１は本発明の第６の実施例による小型無線機の斜視図である。図１１において、本実施例では折り畳むことのできる小型無線機１に対して適用した場合の構成を示している。
【００３９】
【発明の効果】
以上説明したように本発明は、少なくとも外部入出力を行うためのコネクタを含む携帯型の小型無線機において、コネクタを覆うためのコネクタカバー内部にアンテナ素子を内蔵することによって、アンテナに与える手の影響を少なくし、手によるアンテナ特性の劣化を低減することができるとともに、携帯無線端末の小型化を図ることができるという効果が得られる。
【図面の簡単な説明】
【図１】本発明の第１の実施例による小型無線機の斜視図である。
【図２】図１のコネクタカバーの部分の拡大図である。
【図３】従来の小型無線機において手で持った時の状態を示す図である。
【図４】本発明による小型無線機において手で持った時の状態を示す図である。
【図５】本発明の第２の実施例による小型無線機のコネクタカバーの部分の拡大図である。
【図６】本発明の第３の実施例による小型無線機のコネクタカバーの部分の拡大図である。
【図７】図６のコネクタカバーの着脱方法の一例を示す図である。
【図８】図６のコネクタカバーの着脱方法の他の例を示す図である。
【図９】本発明の第４の実施例による小型無線機のコネクタカバーの部分の拡大図である。
【図１０】本発明の第５の実施例によるアンテナ素子の形状を示す図である。
【図１１】本発明の第６の実施例による小型無線機の斜視図である。
【符号の説明】
１  小型無線機
２  表示部
３  キー部
４，１３  コネクタ
５  コネクタカバー
６  受話部
７  送話部
８  コネクタ保持部
９  アンテナ素子
１０  給電部
１１  無線部
１２  ケーブル
【図１】
2004221911.tif 000003
【図２】
2004221911.tif 000004
【図３】
2004221911.tif 000005
【図４】
2004221911.tif 000006
【図５】
2004221911.tif 000007
【図６】
2004221911.tif 000008
【図７】
2004221911.tif 000009
【図８】
2004221911.tif 000010
【図９】
2004221911.tif 000011
【図１０】
2004221911.tif 000012
【図１１】
2004221911.tif 000013